(57)【要約】【課題】簡単に作製することができ、かつ、十分な物品の保護性能を有する緩衝材を提供する。【解決手段】緩衝材１０は、一枚のシート１から成り、また、互いに隣接する第１蛇腹領域１１、第２蛇腹領域１２、および、両蛇腹領域１１，１２の間に設けられた遷移領域１３を含み、遷移領域１３にジグザグ状の谷折り線であるジグザグ折り線３が設けられており、ジグザグ折り線３の各頂点４において第１蛇腹領域１１の谷折り線２ｂが第２蛇腹領域１２の山折り線２ａに、第１蛇腹領域１１の山折り線２ａが第２蛇腹領域１２の谷折り線２ｂに、それぞれ折り返されている、という構成を有する。【選択図】図３
2018070180.tif 000002
【特許請求の範囲】
【請求項１】
一枚のシートから成り、また、互いに隣接する第１蛇腹領域、第２蛇腹領域、および、両蛇腹領域の間に設けられた遷移領域を含み、
該遷移領域にジグザグ状の谷折り線であるジグザグ折り線が設けられており、該ジグザグ折り線の各頂点において前記第１蛇腹領域の谷折り線が前記第２蛇腹領域の山折り線に、前記第１蛇腹領域の山折り線が前記第２蛇腹領域の谷折り線に、それぞれ折り返されている、という構成を有する、
緩衝材。
【請求項２】
請求項１に記載の緩衝材であって、
前記山折り線と前記谷折り線のうちの一方が、折り線に沿う罫線により折り目付けされており、他方が、折り線に沿う切り込みにより折り目付けされている、
緩衝材。
【請求項３】
請求項１または２に記載の緩衝材であって、
前記シートが段ボールである、
緩衝材。
【発明の詳細な説明】
【技術分野】
【０００１】
本発明は、各種の物品（特に、包装箱の中に入れられて運送あるいは保管等される物品）が損傷しないように保護するための緩衝材に関する。
【背景技術】
【０００２】
多くの場合、物品は、これが運送あるいは保管されるにあたって、段ボール等の包装箱の中に入れられる。このとき、物品を保護するために、物品と包装箱の間の隙間に緩衝材を入れるということが一般に行われている。この緩衝材は、当該隙間を埋めて包装箱の中で物品が動かないようにするという役割と、包装箱に衝撃が加わった場合にその衝撃を吸収するという役割とを担っている。
【０００３】
従来においては、例えば、気泡を含ませたポリスチレン（所謂、発泡スチロール）を物品と包装箱の隙間の形状に成型してこれを当該隙間に配置したり、発泡スチロールを小さな粒状（あるいは、紐状）に成型してこれを当該隙間に充填したりすることで、物品の保護を図っていた。
【０００４】
しかしながら、近年においては、発泡スチロール製の緩衝材は、嵩高くリサイクルに手間がかかる、また、廃棄焼却する際に黒煙を発生して大気汚染の原因になる、等の理由から敬遠されることが多くなってきており、発泡スチロール以外の材料で形成された緩衝材が好んで用いられる傾向がある。
【０００５】
発泡スチロール以外の材料で形成された緩衝材として、例えば特許文献１には、段ボールで形成された緩衝材が提案されている。ここでは、段ボールを蛇腹状に折り曲げることにより緩衝材を形成し、段ボールが蛇腹方向に伸びようとする力（復元力）を利用して包装箱内で物品が動かないように固定し、段ボールの中芯の波形状（フルート）、および、蛇腹の伸縮（すなわち、蛇腹構造の変形）でもって外部からの衝撃を吸収している。
【先行技術文献】
【特許文献】
【０００６】
【特許文献１】特開2001-58675号公報
【発明の概要】
【発明が解決しようとする課題】
【０００７】
特許文献１に記載の緩衝材は、一枚の段ボールを蛇腹状に折り曲げることにより形成されている。ところが、このような緩衝材は、それ１個だけでは物品を固定する力も衝撃を吸収する能力も十分であるとは言えず、十分な物品の保護性能を得られない。したがって、実際は、特許文献１の図４〜図１１に示されているように、一枚の段ボールを蛇腹状に折り曲げたパーツを複数個組み合わせて緩衝材を形成する必要がある。
【０００８】
本発明が解決しようとする課題は、簡単に作製することができ、かつ、十分な物品の保護性能を有する緩衝材を提供することである。
【課題を解決するための手段】
【０００９】
上記課題を解決するために成された本発明に係る緩衝材は、
一枚のシートから成り、また、互いに隣接する第１蛇腹領域、第２蛇腹領域、および、両蛇腹領域の間に設けられた遷移領域を含み、
該遷移領域にジグザグ状の谷折り線であるジグザグ折り線が設けられており、該ジグザグ折り線の各頂点において前記第１蛇腹領域の谷折り線が前記第２蛇腹領域の山折り線に、前記第１蛇腹領域の山折り線が前記第２蛇腹領域の谷折り線に、それぞれ折り返されている、という構成を有する。
【００１０】
この構成に係る緩衝材は、一枚のシートから成るため、第１蛇腹領域と第２蛇腹領域（および、当然に、その間の遷移領域）を広げた状態では平面状となっているが、第１蛇腹領域と第２蛇腹領域を縮ませると、遷移領域に設けられたジグザグ折り線も谷折りに折れ、その結果、縮んだ第１蛇腹領域と縮んだ第２蛇腹領域は、遷移領域を間にして角度をもつようになる。このように、角度をもって連なった２個の蛇腹領域からなる緩衝材は、例えば１個の蛇腹領域のみからなる緩衝材と比べて、物品を固定する力も衝撃を吸収する能力も大きいので、単体で用いても、十分な物品の保護性能を得ることができる。
特にここでは、遷移領域にジグザグ折り線が設けられ、その各頂点において一方の蛇腹領域の谷折り線が他方の蛇腹領域の山折り線に折り返される。この構成によると、一枚のシートを、複雑な切れ目や折り込みを必要とせずに簡単に、角度をもって連なった２個の蛇腹領域を有する形状とすることができる。
また、この構成に係る緩衝材は、第１蛇腹領域および第２蛇腹領域の縮み幅が大きくなるにつれて、第１蛇腹領域と第２蛇腹領域とがなす角度が小さくなる。つまり、当該縮み幅を調整することによって、当該角度を任意のものとすることができる。例えば、当該縮み幅を調整して当該角度を約９０°にすることで、包装箱のコーナー部分における隙間（包装箱と物品の隙間）を埋めることができる。すなわち、一般に、物品が入れられる包装箱は直方体であるところ、緩衝材の当該角度を約９０°に調整すれば、各蛇腹領域の間の遷移領域を包装箱のいずれかの辺に沿わせるとともに、各蛇腹領域を包装箱の当該辺を挟んだ二つの面のそれぞれに沿わせるように配置することで、包装箱のコーナー部分における隙間を埋めることができる。
また、この緩衝材は、その遷移領域を底にして平坦な載置面にＶ状態で置いたときに、ジグザグ折り線において載置面と当接することにより、安定して自立することができる。したがって、この緩衝材は、例えば、円柱状の物品を保管、運搬等する場合の台座としても用いることができる。
【００１１】
ただし、上記の緩衝材において、第１蛇腹領域（あるいは、第２蛇腹領域）に隣接して、さらなる蛇腹領域（第３蛇腹領域）が設けられてもよい。つまり、緩衝材は、３個以上の蛇腹領域を含んでもよい。この場合も、隣り合う蛇腹領域の間には遷移領域が設けられ、ここに山折り（あるいは、谷折り）のジグザグ折り線が設けられる。そして、該ジグザグ折り線の各頂点において一方側の蛇腹領域の谷折り線がこれに隣接する他方側の蛇腹領域の山折り線に、当該一方側の蛇腹領域の山折り線が他方側の蛇腹領域の谷折り線に、それぞれ折り返される。なお、蛇腹領域を３個連接する場合、最初と最後の蛇腹領域は同じ方向（すなわち、全体として「コ」字状）であってもよいし、反対方向（すなわち、全体として「Ｚ」字状）であってもよい。
【００１２】
また、上記の緩衝材において、各蛇腹領域は矩形（例えば、長方形）であってもよいし、矩形以外の形状（例えば、三角形）であってもよい。また、各蛇腹領域は互いに同じ形状であってもよいし、異なる形状であってもよい。
【００１３】
また、上記の緩衝材において、ジグザグ折り線は谷折り線であるとしているが、当然のことながら、シートの一方の面から見て谷折りの線は他方の面から見ると山折り線となる。つまり、ジグザグ折り線は、その折りの向きはどちらでもよく、折りの向きが途中で山折りから谷折りに換わることなく、その全体に亘って同じ向きに折られた折り線であればよい。
【００１４】
好ましくは、
前記山折り線と前記谷折り線のうちの一方が、折り線に沿う罫線により折り目付けされており、他方が、折り線に沿う切り込みにより折り目付けされている。
【００１５】
切り込みによる折り目付けは、折り曲げたときに切り込みの端面が引っかかり合う形になるので、罫線による折り目付けに比べて、折り形状が強く維持される。ここでは、蛇腹を形成する各折り線が、切り込みと罫線の二種類の折り目付けで折られており、前者の折り目付けで蛇腹形状が維持され、後者の折り目付けで蛇腹が伸びようとする力（復元力）が担保される。したがって、この緩衝材においては、蛇腹形状を維持しつつ十分な復元力が保たれるので、物品を固定する力と衝撃を吸収する能力の両方が十分に大きくなる。
特に、前記シートが段ボールである場合、切り込みによる折り目付け（所謂、リード罫）によると、段ボールのフルートの山・谷の位置に影響を受けずに所望する位置に正確に折り形状を形成することができる。これによって、例えば、等ピッチに整った蛇腹構造を形成することができる。
【００１６】
好ましくは、
前記シートが段ボールである。
【００１７】
段ボールは強度が高く、それ自身が緩衝性を有する紙である。したがって、この構成によると、物品の保護性能が特に高い緩衝材を得ることができる。
【発明の効果】
【００１８】
この発明に係る緩衝材は、遷移領域にジグザグ折り線が設けられ、その各頂点において一方の蛇腹領域の谷折り線が他方の蛇腹領域の山折り線に折り返されるので、一枚のシートを、複雑な切れ目や折り込みを必要とせずに簡単に、角度をもって連なった２個の蛇腹領域を有する形状とすることができる。このように、角度をもって連なった２個の蛇腹領域からなるので、物品を固定する力も衝撃を吸収する能力も大きい。したがって、単体で用いても、十分な物品の保護性能を得ることができる。
【図面の簡単な説明】
【００１９】
【図１】段ボールの平面図。
【図２】折り目付けの態様を説明するための図。
【図３】緩衝材の斜視図。
【図４】緩衝材の側面図。
【図５】緩衝材の縮み幅が異なる状態を示す図。
【図６】緩衝材の第１の使用態様を説明するための図。
【図７】緩衝材の第２の使用態様を説明するための図。
【図８】緩衝材の第３の使用態様を説明するための図。
【図９】緩衝材の第４の使用態様を説明するための図。
【図１０】ジグザグ折り線の折れ曲がりの角度と、緩衝材において各蛇腹領域がなす角度の関係を示す図。
【発明を実施するための形態】
【００２０】
以下、添付の図面を参照しながら、本発明の実施形態について説明する。以下の実施形態は、本発明を具体化した一例であって、本発明の技術的範囲を限定するものではない。
【００２１】
＜１．緩衝材１０の作製の態様＞
実施形態に係る緩衝材１０は、一枚のシート（ここでは例えば、一枚の段ボール）１を折ることによって作製される。緩衝材１０を作製する態様について、図１〜図５を参照しながら説明する。図１は、段ボール１の平面図である。図１においては、段ボール１の幅方向を説明するために、一部のライナーが切り欠かれて表されている。図２は、折り目付けの態様を説明するための図である。図３は、出来上がった緩衝材１０の斜視図である。図４は、当該緩衝材１０の側面図である。図５は、当該緩衝材１０の縮み幅が異なる状態を示す図である。
【００２２】
工程Ｓ１：まず、一枚の段ボール１を準備する。段ボール１は、周知の通り、波状に加工した紙（中芯）を一対の平坦な紙（ライナー）で挟んだ構造を有している。以下において、段ボール１の中空部分の延在方向を「幅方向」と呼び、これと直交する方向を「流れ方向」と呼ぶ。ここでは、段ボール１は、流れ方向が長尺方向に一致するような長方形とされる。この場合、出来上がった緩衝材１０において、後述する各蛇腹領域１１，１２の伸縮方向が段ボール１の流れ方向と一致することになる。もっとも、段ボール１は、幅方向が長尺方向に一致するような長方形であってもよく、この場合は、出来上がった緩衝材１０において、各蛇腹領域１１，１２の伸縮方向が段ボール１の幅方向と一致することになる。
【００２３】
工程Ｓ２：次に、段ボール１の表面に折り線を規定し、各折り線の折り目付けを行う。
ここでは、段ボール１の流れ方向（ここでは、長尺方向）に沿う一対の辺のうちの一方側に第１蛇腹領域１１が、他方側に第２蛇腹領域１２が、互いに隣接して設けられる。第１蛇腹領域１１と第２蛇腹領域１２とは段ボール１を略二等分割する領域となっていることが好ましい。
第１蛇腹領域１１および第２蛇腹領域１２のそれぞれには、蛇腹を形成するための山折り線２ａおよび谷折り線２ｂが設けられる。各折り線２ａ，２ｂは段ボール１の幅方向に沿って延在し、山折り線２ａと谷折り線２ｂとが段ボール１の流れ方向に沿って等間隔で交互に配列される。
第１蛇腹領域１１と第２蛇腹領域１２との間には、遷移領域１３が設けられる。遷移領域１３には、段ボール１の流れ方向に沿って延在するジグザグ折り線３が設けられる。ジグザグ折り線３は、各蛇腹領域１１，１２の折り線２ａ，２ｂの形成位置で折れ曲がったジグザグ状の谷折り線であり、ジグザグ折り線３の各頂点４において第１蛇腹領域１１の山折り線２ａが第２蛇腹領域１２の谷折り線２ｂに折り返され、当該各頂点４において、第１蛇腹領域１１の谷折り線２ｂが第２蛇腹領域１２の山折り線２ａに折り返される。
なお、ここでいう遷移領域１３は、ジグザグ折り線３の頂点４を一つ飛ばしにつなぐ一対の平行線１３ａ，１３ｂの間の領域を指している。つまり、遷移領域１３の一部分（ジグザグ折り線３の一方側）は、第１蛇腹領域１１と重なる領域となっており、残りの部分（ジグザグ折り線３の他方側）は、第２蛇腹領域１２と重なる領域となっている。
【００２４】
ジグザグ折り線３の折れ曲がり角度θ１は、例えば、約９０°とする。すなわち、山折り線２ａと谷折り線２ｂの間隔ｄ１と遷移領域１３の幅ｄ２とが等しくなるように（ｄ１＝ｄ２）、折れ曲がり角度θ１を規定する。折れ曲がり角度θ１を約９０°としておけば、各折り線２ａ，２ｂ，３にしたがって段ボール１を折り曲げたときに、安定した蛇腹構造が形成される。
【００２５】
各蛇腹領域１１，１２の山折り線２ａは、折り線に沿う切り込み５により折り目付けされる（所謂、リード罫）。切り込み５は、段ボール１の表面から裏面へ貫通して設けられる切れ目である。山折り線２ａがある程度以上の長さをもつものである場合、山折り線２ａは、複数の切り込み５が間隔をおいて間欠的に形成されることによって折り目付けされることが好ましい。また、切り込み５の端部は、ジグザグ折り線３の頂点４に達していることが好ましい。
一方、各蛇腹領域１１，１２の谷折り線２ｂおよびジグザグ折り線３は、折り線に沿う罫線６により折り目付けされる。罫線６は、具体的には、段ボール１を折り線に沿って線状に押しつぶして肉厚を圧縮することにより形成される。
【００２６】
工程Ｓ３：次に、工程Ｓ２で折り目付けされた各折り線２ａ，２ｂ，３にしたがって段ボール１を折り曲げる。すなわち、山折り線２ａを山折りするとともに谷折り線２ｂを谷折りして第１蛇腹領域１１と第２蛇腹領域１２を縮ませる。すると、遷移領域１３に設けられたジグザグ折り線３も谷折りに折れ、その結果、縮んだ第１蛇腹領域１１と縮んだ第２蛇腹領域１２は、遷移領域１３を間にして屈曲角度θ２をもつようになる。これによって、図３、図４に示されるように、遷移領域１３を介して屈曲角度θ２をもって連なった２個の蛇腹領域１１，１２からなる緩衝材１０が形成される。ただし、ここでいう「屈曲角度θ２」とは、第１蛇腹領域１１と第２蛇腹領域１２がなす角度であり、具体的には、ジグザグ折り線３の頂点４において折り返された第１蛇腹領域１１の谷折り線２ｂと第２蛇腹領域１２の山折り線２ａとがなす角度である。
【００２７】
第１蛇腹領域１１と第２蛇腹領域１２とがなす屈曲角度θ２は、蛇腹領域１１，１２を縮ませる度合い（縮み幅）に応じて変化する。すなわち、蛇腹領域１１，１２を大きく縮ませるほど、屈曲角度θ２は小さくなる。
図５には、緩衝材１０の縮み幅が異なる状態が示されている。図５（ａ）、図５（ｂ）、図５（ｃ）の各図は、同じ緩衝材１０において縮み幅を異なるものとした各状態を、図３の矢印Ａ方向および矢印Ｂ方向のそれぞれから見た図を並置したものである。
図５（ｂ）に示されるように、蛇腹領域１１，１２の縮み幅を調整することによって、屈曲角度θ２を約９０°とすることができる。また、図５（ｂ）の状態から緩衝材１０をさらに縮めて縮み幅を大きくすることによって、図５（ｃ）に示されるように、屈曲角度θ２を９０°よりも小さくすることができる。逆に、図５（ｂ）の状態から緩衝材１０を伸ばして縮み幅を小さくすることによって、図５（ａ）に示されるように、屈曲角度θ２を９０°よりも大きくすることができる。
【００２８】
この緩衝材１０は、屈曲角度θ２をもって連なった２個の蛇腹領域１１，１２からなるので、例えば１個の蛇腹領域のみからなる緩衝材と比べて、物品を固定する力も衝撃を吸収する能力も大きい。したがって、単体で用いても、十分な物品の保護性能を得ることができる。
【００２９】
また、この緩衝材１０は、一枚の段ボール１から成るため、第１蛇腹領域１１と第２蛇腹領域１２（および、当然に、その間の遷移領域１３）を広げた状態では平面状となっている。したがって、緩衝材１０を運搬したり保管したりする際には当該平面状としておくことで、保管時の省スペース化、搬送コストの低減、等が実現される。
【００３０】
特にここでは、遷移領域１３にジグザグ折り線３が設けられ、その各頂点４において一方の蛇腹領域１１，１２の山折り線２ａが他方の蛇腹領域１２，１１の谷折り線２ｂに折り返される。この構成によると、一枚の段ボール１を、複雑な切れ目や折り込みを必要とせずに簡単に、角度をもって連なった２個の蛇腹領域１１，１２を有する形状とすることができる。
【００３１】
また、ここでは、蛇腹を形成する各折り線２ａ，２ｂが、切り込み５と罫線６の二種類の折り目付けで折られている。切り込み５による折り目付けは、折り曲げたときに切り込みの端面が引っかかり合う形になるので、罫線６による折り目付けに比べて、折り形状が強く維持される。つまり、切り込み５による折り目付けで蛇腹形状が維持され、罫線６による折り目付けで蛇腹が伸びようとする力（復元力）が担保される。したがって、緩衝材１０においては、蛇腹形状を維持しつつ十分な復元力が保たれるので、物品９を固定する力と衝撃を吸収する能力の両方が十分に大きくなる。
また、切り込み５による折り目付けによると、段ボール１の中芯の波（フルート）の山・谷の位置に影響を受けずに所望する位置に正確に折り形状を形成することができる。これによって、例えば、蛇腹領域１１，１２に等ピッチに整った蛇腹構造を形成することができる。
【００３２】
また、段ボール１は強度が高く、それ自身が緩衝性を有する紙である。したがって、段ボール１を用いることで、物品の保護性能が特に高い緩衝材１０を得ることができる。
【００３３】
＜２．緩衝材１０の使用の態様＞
次に、緩衝材１０の使用の態様の具体例について、図３〜図５に加え、図６〜図９を参照しながら説明する。図６〜図９は、緩衝材１０の使用の態様を説明するための図である。
【００３４】
＜ｉ．第１の使用の態様＞
物品９が包装箱（例えば、段ボール箱）９０に入れられたときに、例えば図６（ａ）に示されるように、包装箱９０の一つの面（図の例では側面）と物品９との間に隙間８１が形成される場合がある。以下において、当該隙間８１の、包装箱９０の当該一つの側面の法線方向に沿う大きさ（すなわち、物品９の側面とこれと隙間８１を挟んで対向する包装箱９０の側面との離間距離）ｄを「隙間８１の長さ」とも呼ぶ。
【００３５】
緩衝材１０は、図６（ｂ）に示されるように、このような隙間８１を埋めるのに用いることができる。この場合、各蛇腹領域１１，１２の伸縮方向の長さ（外力が付加されない自然状態の長さ）が、隙間８１の長さｄよりも十分に大きい緩衝材１０を準備し、当該緩衝材１０を、蛇腹領域１１，１２を縮めた状態で、その伸縮方向を隙間８１の長さ方向に沿わせるようにして、当該隙間８１に入れる。
【００３６】
そうすると、緩衝材１０の蛇腹領域１１，１２が蛇腹方向に伸びて、伸縮方向の両端部のうちの一方が物品９の側面に当接し、他方が包装箱９０の側面に当接した状態となる。これによって、包装箱９０の中で物品９が動かないように固定され、物品９の損傷が防がれる。また、包装箱９０に衝撃が加わった場合に、蛇腹領域１１，１２が蛇腹の伸縮方向に伸縮することでその衝撃を吸収し、これによって物品９の損傷が防がれる。
【００３７】
＜ii．第２の使用の態様＞
物品９が包装箱９０に入れられたときに、例えば図７（ａ）に示されるように、包装箱９０における、ある辺（以下「対象となる辺」とも呼ぶ）を挟んで隣り合う二つの面（図の例では、上面（蓋面）と側面）と物品９との間に隙間（コーナー部分の隙間）８２が形成される場合がある。
【００３８】
緩衝材１０は、図７（ｂ）に示されるように、このような隙間８２を埋めるのに用いることができる。緩衝材１０は、上述したとおり、各蛇腹領域１１，１２の縮み幅に応じて、第１蛇腹領域１１と第２蛇腹領域１２とがなす屈曲角度θ２が変化する（図５参照）。つまり、当該縮み幅を調整することによって、屈曲角度θ２を任意のものとすることができる。そこでこの使用の態様においては、例えば、緩衝材１０の当該縮み幅を調整して屈曲角度θ２を約９０°にする（図５（ｂ）に示される状態）。そして、緩衝材１０を、その遷移領域１３を包装箱９０の対象となる辺に沿わせるとともに、各蛇腹領域１１，１２を包装箱９０の当該辺を挟んだ二つの面のそれぞれに沿わせるように配置して、コーナー部分の隙間８２に入れる。
【００３９】
そうすると、対象となる辺を挟んだ二つの面（図の例では、上面と側面）のうちの一方の面と物品９との隙間が、一方の蛇腹領域１１で埋められるとともに、他方の面と物品９との隙間が、他方の蛇腹領域１２で埋められる。つまり、包装箱９０における二つの面と物品９との隙間が一度に埋められる。当該二つの面のそれぞれと物品９との間に、緩衝材１０の各蛇腹領域１１，１２が配置されることによって、包装箱９０の中で物品９が動かないように固定され、物品９の損傷が防がれる。また、包装箱９０に衝撃が加わった場合に、各蛇腹領域１１，１２がその衝撃を吸収し、これによって物品９の損傷が防がれる。
【００４０】
＜iii．第３の使用の態様＞
緩衝材１０は、例えば図８に示されるように、円柱状の物品９を、保管、運搬等する場合の保護部材として用いることもできる。
【００４１】
例えば円柱状の物品９を包装箱９０（図示省略）に入れて保管、運搬等する場合、物品９を包装箱９０に入れる前に、緩衝材１０を、その遷移領域１３を下にしてＶ状態で包装箱９０の中に置く。この状態において、緩衝材１０は、ジグザグ折り線３において包装箱９０の底面と当接することにより、安定して自立することができる。そして、図８（ａ）に示されるように、当該緩衝材１０の上に、円柱状の物品９を寝かした状態で載置する。
【００４２】
そうすると、包装箱９０の底面と円柱状の物品９との間にある緩衝材１０が台座として機能し、包装箱９０の中で物品９が転動しにくくなり、物品９の損傷が防がれる。また、包装箱９０に衝撃が加わった場合に、緩衝材１０の各蛇腹領域１１，１２がその衝撃を吸収し、これによって物品９の損傷が防がれる。
【００４３】
緩衝材１０は、その縮み幅が大きくなる（つまり、屈曲角度θ２が小さくなる）ほど、各蛇腹領域１１，１２において単位長さに含まれる山の数が多くなり（すなわち、山の密度が大きくなり）、強度が高まる。したがって、この使用の態様において、例えば、物品９の重量が比較的大きい場合は、緩衝材１０を比較的大きく縮めて用い、物品９の重量が比較的小さい場合は、緩衝材１０を比較的小さく縮めて用いればよい。
【００４４】
好ましくは、図８（ｂ）に示されるように、緩衝材１０の上に載置された円柱状の物品９の上に、もう一つの緩衝材１０を逆Ｖ状態で乗せて、物品９を一対の緩衝材１０で挟むようにする。この場合、上側の緩衝材１０は、その遷移領域１３において、包装箱９０の上面（蓋面）と当接することが好ましい。この構成によると、包装箱９０の上面と物品９との間の隙間が、上側の緩衝材１０によって埋められることになる。したがって、包装箱９０の中で物品９がさらに転動しにくくなり、物品９の損傷が特に有効に防がれる。また、包装箱９０に上方からの衝撃が加わった場合に、上側の緩衝材１０の各蛇腹領域１１，１２がその衝撃を吸収し、これによって物品９の損傷が特に有効に防がれる。
【００４５】
＜iv．第４の使用の態様＞
緩衝材１０は、例えば図９に示されるように、棒状の物品９を複数個、保管、運搬等する場合の保護部材として用いることもできる。
【００４６】
例えば、複数個の棒状の物品９を包装箱９０（図示省略）に入れて保管、運搬等する場合、物品９を包装箱９０に入れる前に、２個の緩衝材１０を、一方の蛇腹領域（ここでは、例えば第２蛇腹領域１２）を下にしたＬ状態で、互いに対向させて、包装箱９０の中に置く。このとき、各緩衝材１０の遷移領域１３を、包装箱９０の対向する底辺のそれぞれに沿わせるように配置することも好ましい。そして、図９に示されるように、一対の緩衝材１０の間に、複数の棒状の物品９を寝かした状態で載置する。具体的には、各物品９の一方の端部が、一方の緩衝材１０の第２蛇腹領域１２におけるＶ状の部分（すなわち、２個の山折り線２ａとそれに挟まれた１個の谷折り線２ｂとから構成されるＶ状の部分）に収容され、当該物品９の他方の端部が、他方の緩衝材１０の第２蛇腹領域１２におけるＶ状の部分に収容された状態とする。このようにして、複数個の物品９（蛇腹領域１１の谷折り線２ｂの個数と同数個の物品９）を、互いに離間しつつ整列した状態で、包装箱９０の中に収容することができる。
【００４７】
一対の緩衝材１０の間に載置された複数の物品９は、緩衝材１０の蛇腹領域１２のＶ状の部分によって位置規制されるため、包装箱９０の中で物品９が互いに接触することがなくなり、物品９の損傷が防がれる。また、包装箱９０に衝撃が加わった場合に、各蛇腹領域１１，１２がその衝撃を吸収し、これによって各物品９の損傷が防がれる。
【００４８】
＜３．変形例＞
上記の実施形態において、第１蛇腹領域１１（あるいは、第２蛇腹領域１２）に隣接して、さらなる蛇腹領域（第３蛇腹領域）を設けてもよい。つまり、緩衝材１０は、３個以上の蛇腹領域を含んでもよい。この場合も、隣り合う蛇腹領域には遷移領域１３が設けられ、ここにジグザグ折り線３が設けられる。そして、該ジグザグ折り線３の各頂点４において一方側の蛇腹領域の谷折り線２ｂがこれに隣接する他方側の蛇腹領域の山折り線２ａに、当該一方側の蛇腹領域の山折り線２ａが他方側の蛇腹領域の谷折り線２ｂに、それぞれ折り返される。
【００４９】
上記の実施形態において、山折り線２ａと谷折り線２ｂの間隔ｄ１は、任意に規定することができる。当該間隔ｄ１が小さいほど、各蛇腹領域１１，１２において単位長さに含まれる山の数が多くなり、緩衝材１０の強度や物品保護性能が増す。したがって、例えば、緩衝材１０を、比較的重い物品９の搬送あるいは保管に用いる場合は、当該間隔ｄ１が小さい方が好ましい。
【００５０】
上記の実施形態では、ジグザグ折り線３は、段ボール１の幅方向についての中央付近であって、段ボール１を略二等分するような位置に形成されおり、これによって、各蛇腹領域１１，１２は、面積がほぼ等しい長方形となっていたが、ジグザグ折り線３の形成位置はこれに限らない。例えば、ジグザグ折り線３は、段ボール１の対角線に沿う位置に形成されてもよい。この場合、各蛇腹領域１１，１２は、面積がほぼ等しい三角形となる。
【００５１】
上記の実施形態において、ジグザグ折り線３の折れ曲がりの角度θ１は、上記に例示した値（約９０°）に限られるものではなく、任意に規定することができる。図１０には、ジグザグ折り線３の折れ曲がりの角度θ１が異なる緩衝材１０ａ，１０ｂ，１０ｃのそれぞれを、同じ縮み幅で縮ませた状態が示されている。ここに示されるように、縮み幅が同じであるとすると、ジグザグ折り線３の折れ曲がりの角度θ１が小さいものほど、屈曲角度θ２が大きくなる。
【００５２】
上記の実施形態では、ジグザグ折り線３は谷折り線であるとしているが、ジグザグ折り線３は山折り線であってもよい。つまり、ジグザグ折り線３は、その折りの向きはどちらでもよく、折りの向きが途中で山折りから谷折りに換わることなく、その全体に亘って同じ向きに折られた折り線であればよい。
【００５３】
上記の実施形態においては、緩衝材１０を段ボール１から形成したが、緩衝材１０の形成材料となるシートは必ずしも段ボールである必要はなく、例えば、厚紙であってもよい。
【００５４】
上記の実施形態においては、各蛇腹領域１１，１２における山折り線２ａを間欠的な切り込み５により折り目付けし、谷折り線２ｂを罫線６により折り目付けしていたが、折り目付けの態様はこれに限らない。例えば、山折り線２ａと谷折り線２ｂの両方を、間欠的な切り込み５により折り目付けしてもよいし、当該両方を罫線６により折り目付けしてもよい。
【００５５】
上記の実施形態においては、ジグザグ折り線３を罫線６により折り目付けしていたが、ジグザグ折り線３は間欠的な切り込み５により折り目付けしてもよい。
【符号の説明】
【００５６】
１…段ボール
１０…緩衝材
１１…第１蛇腹領域
１２…第２蛇腹領域
１３…遷移領域
２ａ…山折り線
２ｂ…谷折り線
３…ジグザグ折り線
４…ジグザグ折り線の頂点
６…罫線
８１，８２…隙間
９…物品
９０…包装箱
【図１】
2018070180.tif 000003
【図２】
2018070180.tif 000004
【図３】
2018070180.tif 000005
【図４】
2018070180.tif 000006
【図５】
2018070180.tif 000007
【図６】
2018070180.tif 000008
【図７】
2018070180.tif 000009
【図８】
2018070180.tif 000010
【図９】
2018070180.tif 000011
【図１０】
2018070180.tif 000012